(57)【要約】【課題】粉塵爆発を防止しながら、酸化珪素の粉塵を効率よく捕集し、かつ、清掃作業に要する手間や時間を低減する。【解決手段】上筐体２１と、該上筐体２１に分離可能に連結され、単結晶成長により発生する粉塵を捕集する捕集筒２９を収納する下筐体２２と、前記捕集筒２９内に収納される回転フィルタ７０と、を備える真空配管トラップシステム９において、該回転フィルタ７０を、捕集筒２９の底部に枢設された円筒６６と、該円筒６６の周面から径方向に延在するように配設された短冊状の複数の不燃性ブレードフィルタＢＦで構成する。【選択図】図２
2020054949.tif 000002
【特許請求の範囲】
【請求項１】
単結晶成長装置の真空炉と真空ポンプとの間に真空配管を介して接続され、単結晶成長により発生する粉塵を捕集して回収する真空配管トラップ装置であって、
連結部により互いに分離可能に連結される上筐体及び下筐体と、
前記下筐体に収納される有底の捕集筒と、
前記捕集筒内に収納されるフィルタと、を備え、
前記上筐体には、前記真空炉からの気体を取り込むことができる吸気口が設けられ、
前記下筐体には、前記捕集筒から気体を排出するための排気口が設けられ、
前記上筐体及び下筐体には、液体の給入口および排出口が設けられ、
前記フィルタは、前記捕集筒の底部に軸支された円筒の周面から該円筒の各径方向に延在するようにそれぞれ配設された短冊状の複数の不燃性ブレードフィルタを有することを特徴とする真空配管トラップ装置。
【請求項２】
前記フィルタは、前記捕集筒内に回転可能に収納された回転フィルタを含み、前記円筒は、前記捕集筒の底部に枢設された回転軸に軸支されることを特徴とする請求項１に記載の真空配管トラップ装置。
【請求項３】
前記真空炉の直下に配置されることを特徴とする請求項１または２に記載の真空配管トラップ装置。
【請求項４】
前記連結部は、対向するフランジで構成され、１点で切り離された環状体の内周面に前記フランジの縁に接する溝部が設けられ、前記環状体の切離部において対向する前記環状体の端部の一方に固定した棒材の自由端側を、前記環状体の他方の端部に設けた挿通部に通し、前記棒材の自由端に嵌められた筒材を前記棒材の軸線方向に進退させ、前記環状体の切離部の間隔を変えることにより前記環状体の径を調整するクランプにより、手動で接離自在とされていることを特徴とする請求項１乃至３のいずれか一項に記載の真空配管トラップ装置。
【請求項５】
前記下筐体は、前記上筐体との連結部から底面側において流れ方向に分離可能とされていることを特徴とする請求項１乃至４のいずれか一項に記載の真空配管トラップ装置。
【請求項６】
前記下筐体において分離可能とされている連結部は、対向するフランジで構成され、１点で切り離された環状体の内周面に前記フランジの縁に接する溝部が設けられ、前記環状体の切離部において対向する前記環状体の端部の一方に固定した棒材の自由端側を、前記環状体の他方の端部に設けた挿通部に通し、前記棒材の自由端に嵌められた筒材を前記棒材の軸線方向に進退させ、前記環状体の切離部の間隔を変えることにより前記環状体の径を調整するクランプにより、手動で接離自在とされていることを特徴とする請求項５に記載の真空配管トラップ装置。
【請求項７】
前記真空炉からの排気を加熱して該真空配管トラップ装置へ通す加熱部との連結部にバタフライバルブが介装されていることを特徴とする請求項１乃至６のいずれか一項に記載の真空配管トラップ装置。
【請求項８】
請求項１乃至７のいずれか一項に記載の真空配管トラップ装置を、単結晶成長装置の真空炉から真空ポンプへ延びる真空配管に取り付け、前記真空配管の清掃を行う前に、前記給入口から洗浄水を注入して前記捕集筒内に付着した酸化珪素（ＳｉＯ）を前記真空配管および前記真空配管トラップ装置内で水洗し、前記吸気口から前記排気口へ熱風を流して前記前記真空配管及び捕集筒を乾燥させた後に前記真空配管の開放作業を行なうことを特徴とする配管清掃方法。
【請求項９】
請求項１乃至７のいずれか一項に記載の真空配管トラップ装置を、単結晶成長装置の真空炉から真空ポンプへ延びる不燃性の真空配管に取り付け、前記真空配管の清掃を行う前に、内部部品の燃焼温度を下回る温度のガスを前記吸気口から前記排気口へ流すことにより前記捕集筒内の酸化珪素を酸化して二酸化珪素（ＳｉＯ２）とし、前記給入口から高圧水を注入して前記捕集筒内の二酸化珪素（ＳｉＯ２）を前記排出口から排出することを特徴とする配管清掃方法。
【請求項１０】
請求項１乃至７のいずれか一項に記載の真空配管トラップ装置と、
該真空配管トラップ装置と前記真空炉とを接続する配管と、を備え、
前記配管は、一端が前記真空炉に接続される第１配管と、対応する複数の婉曲部を介して前記第１配管の他端と前記真空配管トラップ装置とを接続する複数の第２配管と、を含むことを特徴とする真空配管トラップシステム。
【発明の詳細な説明】
【技術分野】
【０００１】
本発明は、真空配管トラップ装置、真空配管トラップシステム及び配管清掃方法に関し、より具体的には、シリコン単結晶の成長に際して発生する酸化珪素（ＳｉＯ）の粉塵を捕集して回収する真空配管トラップ装置、該装置を含む真空配管トラップシステムおよび、該真空配管トラップ装置を利用した配管清掃方法に関するものである。
【背景技術】
【０００２】
半導体製品基板となるシリコン単結晶成長方法として、チョクラルスキー（Ｃｚｏｃｈｒａｌｓｋｉ）法（以下、単に「ＣＺ法」という）が広く使用されている。このＣＺ法を用いた単結晶成長装置では、シリコン単結晶（インゴット）の引き上げを行なう真空炉内の真空状態（減圧状態）を保つため、真空炉が真空ポンプと配管で連結されている（以下、真空炉と真空ポンプとを連結する配管を「真空配管」という）。
【０００３】
単結晶成長工程において真空炉内では酸化珪素が生成されるため、真空炉と真空ポンプとを直接連結すると、酸化珪素（ＳｉＯ）の粉塵が真空ポンプに侵入し真空ポンプの損傷を引き起こすという問題があった。
【０００４】
そこで、真空配管には、酸化珪素（ＳｉＯ）の粉塵を効率的に捕集するためのトラップ（以下、真空配管トラップという）が必要となる。
【０００５】
真空配管トラップとしては、一般に、流路に直交するフィン（邪魔板）を複数設けた形式のものが広く採用されている。そして、そのような真空トラップは、シリコン単結晶成長装置に限らず、その他の半導体の製造に関する装置にも使用されており、これまでに様々なトラップ装置が提案されている。例えば、特許文献１及び特許文献２には、ハウジング内に排気ガスの流路を形成して凝縮ガスを回収する単数または複数の凝縮板が取り付けられ、ハウジングに設けたガス導入口からガス導出口に至る間の前記流路の抵抗が傾向的に漸増されているトラップが開示されている。このトラップによれば、凝縮ガスはトラップ内において均等に凝縮され、固着物がトラップ内に偏りなく形成される。しかも、ガス導出口近傍では流路抵抗が大きいので、凝縮ガスの素通りが抑制される。
【０００６】
また、特許文献３には、排気経路に接続されるガスの経路を内部に有した容器により構成され、前記流路が、複数の環状の第１流路と、各前記第１経路の間を接続する第２流路とで構成され、前記第１流路の流路断面積を所定の位置で変化させたトラップ装置が開示されている。このトラップ装置によれば、流路の位置に応じてガスの流速が制御されるので、流速の比較的小さいところでは固形物の蓄積が促進され、この一方、流速の比較的大きいところでは固形物の蓄積が回避される。したがって、流路中の所定の位置に固形物を蓄積させることが可能であるとともに、流路のコンダクタンスを低下させたくないところには固形物を蓄積させないようにすることができる。
【０００７】
しかしながら、従来のトラップシステムでは、酸化珪素粉塵の捕集・回収効率が必ずしも十分でなかった。また、多数のフィンを有するトラップシステムでは、清掃に手間や時間を要するという問題があった。さらに、酸化珪素（ＳｉＯ）の堆積したトラップシステムを清掃するために大気開放すると開放時の環境や条件によって粉塵爆発を起こす場合がある一方、従来のトラップシステムには、その対策が施されているものが少なく、清掃作業に粉塵爆発の危険が伴うという問題もあった。
【先行技術文献】
【特許文献】
【０００８】
【特許文献１】特開平９−４２５９３号公報
【特許文献２】特開平９−７２４９３号公報
【特許文献３】特開２００９−１９００３５号公報
【特許文献４】国際公開第２０１３／０１１５８２号パンフレット
【発明の概要】
【発明が解決しようとする課題】
【０００９】
そこで、本発明は、酸化珪素（ＳｉＯ）の粉塵爆発を防止しながら、酸化珪素の粉塵を効率よく捕集し、かつ、安全に清掃でき、かつ、清掃作業に要する手間や時間を低減できるシリコン単結晶成長装置の真空配管トラップ装置及び該装置を利用した配管清掃方法並びに上記配管トラップ装置を含む真空配管トラップシステムを提供することを目的とする。
【課題を解決するための手段】
【００１０】
本発明の第１の態様によれば、単結晶成長装置の真空炉と真空ポンプとの間に真空配管を介して接続され、単結晶成長により発生する粉塵を捕集して回収する真空配管トラップ装置が提供され、
前記真空配管トラップ装置は、
連結部により互いに分離可能に連結される上筐体及び下筐体と、
前記下筐体に収納される有底の捕集筒と、
前記捕集筒内に収納されるフィルタと、を備え、
前記上筐体には、前記真空炉からの気体を取り込むことができる吸気口が設けられ、
前記下筐体には、前記捕集筒から気体を排出するための排気口が設けられ、
前記上筐体及び下筐体には、液体の給入口および排出口が設けられ、
前記フィルタは、前記捕集筒の底部に軸支された円筒の周面から該円筒の各径方向に延在するようにそれぞれ配設された短冊状の複数の不燃性ブレードフィルタを有する。
【００１１】
本発明の第２の態様によれば、上述の真空配管トラップシステムを利用した配管清掃方法が提供され、
前記配管清掃方法は、
上述の本発明に係る真空配管トラップ装置を、単結晶成長装置の真空炉から真空ポンプへ延びる真空配管に取り付け、前記真空配管の清掃を行う前に、前記給入口から洗浄水を注入して前記捕集筒内に付着した酸化珪素（ＳｉＯ）を前記真空配管および前記真空配管トラップ装置内で水洗し、前記吸気口から前記排気口へ熱風を流して前記真空配管及び捕集筒を乾燥させた後に前記真空配管の開放作業を行なうことを備える。
【００１２】
また、本発明の第３の態様によれば、上述の真空配管トラップシステムを利用した配管清掃方法が提供され、
前記配管清掃方法は、
上述の本発明に係る真空配管トラップ装置を、単結晶成長装置の真空炉から真空ポンプへ延びる不燃性の真空配管に取り付け、前記真空配管の清掃を行う前に、内部部品の燃焼温度を下回る温度のガスを前記吸気口から前記排気口へ流すことにより前記捕集筒内の酸化珪素を酸化して二酸化珪素（ＳｉＯ２）とし、前記給入口から高圧水を注入して前記捕集筒内の二酸化珪素（ＳｉＯ２）を前記排出口から排出することを備える。
【００１３】
さらに、本発明の第４の態様によれば、上述の本発明に係る真空配管トラップ装置と、該真空配管トラップ装置と前記成長炉とを接続する配管と、を備える真空配管トラップシステムが提供され、
前記配管は、一端が前記真空炉に接続される第１配管と、対応する複数の湾曲部を介して前記第１配管の他端と前記真空配管トラップ装置とを接続する複数の第２配管と、を含む。
【発明の効果】
【００１４】
本発明によれば、酸化珪素の粉塵爆発を防止でき、効率良く粉塵を捕集できる真空配管トラップ装置、及び、簡易かつ安全に真空配管を清掃できる配管清掃方法、並びに上記効果を奏する配管トラップ装置を含む真空配管トラップシステムが提供される。
【図面の簡単な説明】
【００１５】
【図１】本発明の第１実施形態による真空配管トラップシステムの設置状態を真空炉と真空ポンプとの関係で示す概略図の一例である。
【図２】図１に示す真空配管トラップシステムの具体的な構成を示すための、捕集部を破断した正面図の一例である。
【図３】上筐体を除いた捕集部の平面図の一例である。
【図４】図１に示す真空配管トラップシステムの上筐体と下筐体との連結部に取り付けられるクランプの平面図の一例である。
【図５】図１に示す真空配管トラップシステムの一変形例を示す図の一例である。
【図６】本発明の第２実施形態による真空配管トラップシステムの具体的な構成を示す一部破断正面図の一例である。
【図７】図６に示す真空配管トラップシステムの一変形例を示す図の一例である。
【図８】図１に示す真空配管トラップシステムの変形例であって、着脱容易な掃除トレー（有底筒部）を含む例を示す概略図の一例である。
【発明を実施するための形態】
【００１６】
以下、本発明の実施形態のいくつかについて図面を参照しながら説明する。図面において同一の要素・部材には同一の参照符号を付し、その重複説明は適宜省略する。また、図中の各部材の形状・サイズについては、説明を容易にするために適宜拡大・縮小・変更・省略しているため、現実の縮尺・比率・形状と合致していない場合があり、また、その説明においても、紙面の上下方向に即してそれぞれ「上」「下」の用語を便宜的に用いたため、重力加速度の方向と一致しない場合がある点に留意されたい。また、「実質的に」の用語は、測定誤差をも含む趣旨で使用される。
【００１７】
（１）第１の実施形態
図１は、本発明の第１実施形態による真空配管トラップシステムの設置状態を真空炉と真空ポンプとの関係で示す概略図の一例である。
【００１８】
図１に示すように、本実施形態の真空配管トラップシステム９は、真空配管３と真空配管トラップ装置５９とを備える。真空配管トラップ装置５９は、加熱部１１と捕集部１２とを含み、単結晶成長装置の真空炉１と、この単結晶成長装置の内部を真空状態に保つための真空ポンプ２との間で真空配管３を介して設置されている。真空炉１は機台（土台）４に立てられた架台５に支持されており、真空炉１の炉底板１０１（図２参照）に接続される真空配管３は、加熱部１１を介して真空配管トラップ装置５９に接続され、その側壁に開口された排気口３２（図２参照）から再び真空ポンプ２に向って延びている。
【００１９】
図１において、加熱部１１は、外部加熱方式による構造となっているが、真空配管の内部に設けても良い。
【００２０】
本実施形態における第１の特徴点は、真空配管トラップシステム９が、排ガスラインのコンダクタンスに優れた態様で配置されている点にある。より具体的には、図１に示すように、真空配管トラップシステム９が機台４上及び架台５の中で真空炉１の直下に設置され、これにより、真空炉１から真空配管トラップシステム９までの真空配管３は、極めて短い距離で延設されている。
【００２１】
このように、本実施形態の真空配管トラップシステム９は、炉底板１０１に極力近い位置に装着されることから、高温の排気ガスが急冷され、ダストのトラップ効率を向上させている。なお、炉底板１０１と本真空配管トラップシステム９の位置とが離れざるを得ない場合は、加熱部１１で真空配管３を保温すれば良い。
【００２２】
さらに、図２に示すように、真空配管３は、一端が炉底板１０１に接続される第１配管１０３と、この第１配管１０３の他端から分流する２本の第２配管Ｂ１，Ｂ２とを含む。第２配管Ｂ１，Ｂ２は、分流点近傍の婉曲部Ｃ１，Ｃ２を経由して加熱部１１に接続される。このように、本実施形態の真空配管３は複数の第２配管に分流しながらも、屈曲部を持たない構成となっているために、優れたコンダクタンスを提供する。また、図１に示すように、真空配管３のうち、真空配管トラップシステム９から真空ポンプ２までの部分も略直線状に延設される。このように、真空配管トラップ装置５９を間に挟んで真空炉１から真空ポンプ２までの間で真空配管３に屈曲部が存在しない。このため、気体は真空配管３内を円滑に流れ、粉塵等のダストが付着する箇所が存在しないので、真空配管３の清掃が非常に簡単になる。
【００２３】
真空配管３は、不燃性材料、例えば、ＳＵＳ配管やアルミ配管などの金属材料または静電気防止金属を編み込んだテフロン(登録商標)系樹脂配管、合金から形成されることが望ましい。これにより、例えば塩化ビニールなどの絶縁性材料で真空配管３が形成した場合に排気時の静電発火（花）等に起因して粉塵爆発が発生する恐れを解消することができる。
図２に示すように、真空配管トラップ装置５９は、加熱部１１と、加熱部１１の下流側に配置される捕集部１２を備えている。
【００２４】
加熱部１１は排気通路をなすベローズ管１３と、該ベローズ管１３を包囲するヒータ１４で構成される。ヒータ１４には、配管に対して自在に着脱できる公知のジャケットヒータが採用されており、清掃時には取り外してベローズ管１３を露出させることができる構造となっている。そのため、清掃作業時には、ベローズ管１３の向きを作業し易い状態に変えることができる。ベローズ管１３とレデューサ２４との連結部分には、バタフライバルブ１５が介装されている。バタフライバルブ１５には、圧力条件等が調整された公知のバタフライバルブが採用されている。このバタフライバルブには逆流を防止するインターロック（図示せず）が入っており、操作者は炉側の操作と連動して判断した上で開閉動作する。
【００２５】
捕集筐体２０は、上筐体２１と、上流側に開口が設けられた有底筒状の下筐体２２と、上筐体２１及び下筐体２２の連結部に介挿されるセンターリング２３とを含む。上筐体２１は、下筐体２２の開口を塞ぐ円盤状の蓋体をなす。上筐体２１と下筐体２２の連結部は、対向するフランジで構成され、クランプ５０により手動で接離自在とされている。クランプ５０の具体的構成については後に詳述する。
【００２６】
下筐体２２の開口の縁にはフランジが設けられ、上筐体２１と連結できるようになっている。下筐体２２のフランジと上筐体２１との密着面にはセンターリング２３が介挿され、その外周面よってシールリング３３の位置（密着面の中央への配置）が決まるようになっている。また、センターリング２３には、センターリング２３の貫通孔がその開口となる有底円筒状の捕集筒２９が固定されている。捕集筒２９は、センターリング２３が上筐体２１と下筐体２２の連結部に介挿された状態において、下筐体２２に収容される。
【００２７】
本実施形態の第２の特徴は、粉塵の主要な捕集手段として、捕集筒２９内に回転可能に収納される回転フィルタ７０が配設されている点にある。
【００２８】
回転フィルタ７０は、捕集筒２９の底部に枢設された回転軸６２に、支持台６４を介して軸支される。
【００２９】
図３は、捕集筒２９のうち、上筐体とフィルタ天蓋６５とを除いた平面図の一例である。図２および図３に示すように、回転フィルタ７０は、主として、頂面がフィルタ天蓋６５に被覆されて回転軸６２と同心円状に配設された円筒６６と、この円筒６６の周面から回転軸６２の各径方向に延在するようにそれぞれ配設された複数のブレードフィルタＢＦとで構成される。円筒６６の底部には段差Ｓが設けられ、支持台６４は、その頂面の周縁が段差Ｓに嵌合することにより、回転フィルタ７０を固定する。ブレードフィルタＢＦは、不燃性の材料、例えばＳＵＳ３０４などの金属で形成される。また、図２に示すように、各ブレードフィルタＢＦは、正面視において、中央に深い切り込みが設けられた短冊形状をなすように形成されている。
【００３０】
図４は、上筐体２１と下筐体２２との連結部に取り付けられるクランプ５０の具体的構成を示す平面図の一例である。図４に示すように、クランプ５０は、厚みを有するチェーンを環状とし、その両端を接続用挿通棒５２で接続したもので、チェーンにより形成された環状部分が本発明の環状体５１となっている。環状体５１の内周面には前記フランジの縁に接する溝部が設けられ、チェーンの両端が対向配置されている切離部５３において、その一方の端部に棒材５４が軸を介して回転自在に固定されている。また、棒材５４の自由端側には、外周に羅条が形成され、内周に羅条の形成された筒材５５が嵌められている。そして、これら棒材５４と筒材５５が接続用挿通棒５２を構成するものとなっている。
【００３１】
棒材５４の自由端側は、固定端を中心として環状体５１の端部に対し揺動自在とされ、環状体５１の棒材５４の固定されていない端部に設けられた挿通部に通した状態で、筒材５５を周方向に回転させ棒材５４の軸線方向に進退させることで、切離部５３の間隔を手動で変えることができるものとなっている。そして、環状体５１の径を手動により締め付け強度の調整することで、上筐体２１と下筐体２２を気密な連結状態とし、または連結状態を解除することが可能となっている。また、棒材５４の自由端側を環状体５１の端部の挿通部から外した状態（図４の想像線で示す状態）とすることで、フランジへの着脱を自在に行うことができるものとなっている。しかしながら、上筐体２１と下筐体２２の連結部は、図４の構成に限ることなく、例えばフランジに設けた貫通孔に挿通したボルトを介して気密な連結状態としてもよい。
【００３２】
上筐体２１のレデューサ２４との接続部の近傍には、外部から液体を供給し、また、内部から液体を排出するための開口がレデューサ２４を間に挟んで対向するように配設され、これらの開口にそれぞれ連通するように液体給入口２７および液体排出口２６が設けられている。また、捕集筒２９および下筐体２２の側壁には排気口３２が貫通して設けられ、レデューサ２４から吸気口を介して捕集筒２９へ吸入された気体が排気口３２から排出される。
【００３３】
図２及び図３に示す真空配管トラップシステム９を利用した配管清掃方法について、本発明に係る配管清掃方法の第１実施形態として以下に説明する。
【００３４】
先ず、真空ポンプ２を用いて真空炉１を真空引きし、気圧を、例えば約２０Ｔｏｒｒにまで下げ、この減圧状態でシリコンを結晶成長させ、単結晶の引き上げが完了すると真空炉１を一旦停止する。真空炉１の停止状態を確認した後、電源ＯＦＦが確認できたら、冷却水、例えば約４０℃の温水を液体給入口２７から捕集筒２９内へ供給する。供給された冷却水はブレードフィルタＢＦ間の隙間などを下降して流れ、捕集筒２９内に充満すると液体排出口２６（図６から図８に示す例では液体排出口２８）から排出されるが、このとき、捕集筒２９内に浮遊していた酸化珪素（ＳｉＯ）の粉塵を固化（ヘドロ状）する。固化した酸化珪素（ＳｉＯ）はブレードフィルタＢＦの表面に付着する。冷却水による捕集筒２９の冷却が終了すると、冷却水の吸入を止め、図示しないポンプにより捕集筒２９内の残留水を排出させた後、捕集筒２９内を乾燥させる。この乾燥は自然乾燥によってもよいが、装置のスループットを考慮すると、加熱部１１から、例えば１００℃以上２００℃以下の温風を捕集筒２９へ吹き込み排気口３２から排出させることにより、捕集筒２９及び真空配管３の内部を早急に乾燥させることができ、装置のデッドタイムを大幅に短縮することができる。これは、その後のプロセスへの水分による影響を避けるためでもあり、また、真空度の低下を防止するためでもある。
【００３５】
その後は、捕集部１２から捕集筒２９を取り外し、その清掃を行なう。このとき、ベローズ管１３とレデューサ２４の連結部分にはバタフライバルブ１５が介装されているので、加熱部１１と捕集部１２との連結部に付着した捕集物質の粉末が落下したり飛散したりすることなく、捕集部１２を取り外すことができる。
【００３６】
捕集部１２の具体的な取り外し作業は、ベローズ管１３とレデューサ２４の連結を解除し、上筐体２１と下筐体２２の連結を解除した後、センターリング２３と一体の捕集筒２９を下筐体２２から抜き取ればよい。次いで、回転フィルタ７０を捕集筒２９から取り外し、ブレードフィルタＢＦの表面に膜のように付着した酸化珪素（ＳｉＯ）を洗浄水、例えば高圧スプレー状の洗浄水などを用いて洗い流せばよい。
【００３７】
ここで、捕集筒２９を上筐体２１から取り外す際に捕集筒２９内の捕集物質の粉体が飛散することがある。捕集部１２の清掃作業をその場で行なう場合には問題無いが、清掃作業を別の場所で行なう場合には、捕集筒２９を上筐体２１と一体のまま清掃作業場所まで運搬することが好ましい。そのためには、図２に示す下筐体２２を、上筐体２１との連結部から底面側において流れ方向に互いに分離可能な構造にすることが好ましい。
【００３８】
図５に、分離可能に構成された下筐体４０を有する真空配管トラップシステム１０の要部を示す。なお、図５において、図１〜４に示す実施形態と実質的に同じ部分には、同じ符号を付し、その説明を省略するものとする。
【００３９】
図５に示す捕集筐体２０の下筐体４０は、上方筒部４１と有底筒部４２とで構成されている。上方筒部４１と有底筒部４２の各開口の縁にはフランジが設けられている。そして、上方筒部４１の一方の開口は上筐体２１に連結され、他方の開口は有底筒部４２に連結されている。また、上方筒部４１と有底筒部４２との密着面にはセンターリング４３とシールリング４４が介挿されている。そのため、上筐体２１と筒部４１を連結させたまま、有底筒部４２を筒部４１から取り外すことができる。従って、捕集筒２９を上筐体２１と一体のまま外すことができる。
【００４０】
上述の取り外し・清掃は、各結晶製造工程の終了ごとに行ってもよいが、酸化珪素（ＳｉＯ）粉塵の捕集能力に余裕がある場合は、結晶製造―冷却の工程を繰り返し、反復回数が設計値に到達した段階で取り外し・清掃の工程に移行することにしてもよい。または、結晶製造―冷却―洗浄―乾燥の工程を繰り返し、反復回数が設計値に到達した段階で取り外し・清掃の工程に移行することにしてもよい。
【００４１】
本実施形態によれば、不燃性の材料で形成された複数のブレードフィルタＢＦを含む回転フィルタ７０により真空配管３内の粉塵を捕集するので、効率良く粉塵を捕集・回収することができる。
【００４２】
また、液体給入口２７から高圧冷却水を注入して捕集筒２９内に付着した酸化珪素（ＳｉＯ）の少なくとも一部を二酸化ケイ素化するとともに汚泥化して固化するので粉塵爆発の恐れがなくなって清掃作業の安全が確保され、さらに、レデューサ２４から排気口３２へ熱風を流して捕集筒２９及び真空配管３を乾燥させた後に真空配管３の開放作業を行なうので、簡易に捕集部１２及び真空配管３を掃除することができる。
（２）第２実施形態
【００４３】
図６は、本発明の第２実施形態による真空配管トラップシステムの詳細構成を示すための、捕集部を破断した正面図の一例である。本実施形態の真空配管トラップシステム７９は、真空配管３と、加熱部１１および捕集筐体２１２を含む真空配管トラップ装置１０９と、を備える。
【００４４】
図２との対比により明らかなように、本実施形態の真空配管トラップシステム７９の特徴点は、図２の液体排出口２６に代えて、捕集筒２９の底部に設けられた開口と、これに対応して下筐体２２に設けられた開口とを連通するように配設された液体排出口２８を備える点にある。本実施形態の真空配管トラップシステム１０のその他の構成は、図２に示す真空配管トラップシステム９と実質的に同一である。
【００４５】
このように、回転フィルタ７０の周縁領域を間に挟んで高さ方向で対向するように液体給入口２７と液体排出口２８とを配置することにより、後に詳述するように、液体給入口２７から高圧水を注入した際に、回転フィルタ７０を回転させながらブレードフィルタＢＦに強い衝撃を与え、これにより、ブレードフィルタＢＦの表面に膜をなすように付着した粉塵を高速で除去することが可能になる。
【００４６】
前述の第１実施形態では、冷却水を捕集筒２９内に流すことで捕集筒２９内に浮遊していた酸化珪素（ＳｉＯ）粉塵を固化してブレードフィルタＢＦの表面に付着させた後、捕集筒２９内を乾燥させ、その後に捕集部１２の捕集筒２９を取り外して、その清掃を行なうこととした。
【００４７】
しかしながら、清掃前に真空配管３及び捕集筒２９内の酸化珪素（ＳｉＯ）粉塵を燃焼して二酸化珪素（ＳｉＯ２）とすれば、粉塵爆発の恐れがなくなり、また、そのまま洗浄すれば、逐一真空配管トラップシステムを解体する必要もなくなり、大幅にスループットを高めることができる。
本実施形態の真空配管トラップシステム７９を利用した配管清掃方法について、配管清掃方法の第２実施形態として以下に説明する。
【００４８】
まず、前述の第１実施形態と同様に、真空ポンプ２を用いて真空炉１を真空引きし、所定の減圧状態でシリコンを結晶成長させ、単結晶の引き上げが完了すると真空炉１を一旦停止する。ここで、本実施形態では、真空配管３として、不燃性の材料、例えば、ステンレスやアルミなどの金属材料またはこれらの合金から形成された配管を使用する。これにより、例えば塩化ビニールなどの材料で形成された真空配管を使用した場合に発生し得る粉塵爆発の問題を解消することができる。
【００４９】
真空炉１の停止状態を確認した後、レデューサ２４から排気口３２へ向けて温風を送り、これにより、真空配管３及び真空配管トラップシステム内の酸化珪素（ＳｉＯ）粉塵を燃焼して二酸化珪素（ＳｉＯ２）とする。温風の温度は、酸化珪素（ＳｉＯ）が酸化を始める温度を下限とし、真空配管トラップシステム７９内の内部部品、例えばカーボン部品が燃焼を始める温度（燃焼温度）２００℃を下回る温度とする。これにより、真空配管３及び真空配管トラップシステム内のＳｉＯ粉塵は二酸化珪素（ＳｉＯ２）となって回転フィルタ７０のブレードフィルタＢＦなどに膜をなすように付着する。
【００５０】
カーボン部品が燃焼を始める温度２００℃を上限とする温度調整は、炉内が完全に暗くなったことを確認した上で操作しても良いし、熱電対などの温度センサを用いて、温度を感知し、自動的に操作が行われるようにしても良い。
【００５１】
次いで、液体給入口２７から例えば約２０℃〜５０℃の高圧水を捕集筒２９内へ注入する。高圧水は回転フィルタ７０の周縁領域を経由して、対向配置される液体排出口２８から排出される。このとき、高圧水による強い衝撃で回転フィルタ７０のブレードフィルタＢＦに膜をなすように強く厚く付着した二酸化珪素（ＳｉＯ２）が吹き飛ばされるように剥がれて高圧水と共に排出される。回転フィルタ７０は、回転軸６２を中心に回転可能に配置されているので、高圧水の衝撃で回転し、これにより、多数のブレードフィルタＢＦが高圧水に打たれて二酸化珪素（ＳｉＯ２）が除去・回収されることになる。回転フィルタ７０をより円滑に回転させるため、緩やかな螺旋状となるようにブレードフィルタＢＦを故意に傾けて円筒６６（図３参照）に配設してもよいし、また、回転フィルタ７０をさらに確実に回転させるため、既知の回転駆動装置を取り付けてもよい。
【００５２】
図７は、真空配管トラップシステム７９の一変形例を示す構成を示す一部破断正面図の一例である。図５との対比により明らかなように、本例の真空配管トラップシステム８０は、図５の液体排出口２６に代えて、捕集筒２９の底部に設けられた開口と、これに対応して下筐体２２に設けられた開口を連通するように配設された液体排出口２８を備える点にある。本実施形態の真空配管トラップシステム８０のその他の構成は、図５に示す真空配管トラップシステム９と実質的に同一であり、図６に示す真空配管トラップシステム７９の下筐体２２を、上筐体２１との連結部から底面側において流れ方向に分離可能な構成としたものであり、さらに、真空配管トラップシステム８０を利用した配管清掃方法も前述の真空配管トラップシステム７９の場合と同様であるので、詳細説明は省略する。
【００５３】
このように、第２実施形態によれば、温風を流して真空配管３及び真空配管トラップシステム７９，８０内の酸化珪素（ＳｉＯ）粉塵を二酸化珪素（ＳｉＯ２）とし、さらに高圧水を注入することで回転フィルタ７０等に付着した二酸化珪素（ＳｉＯ２）を吹き飛ばして除去・回収するので、極めて安全かつ高い精度で真空配管３及び真空配管トラップシステムを清掃することができる。
【００５４】
また、上記実施形態によれば、真空配管トラップシステム９，１０，７９，８０が真空炉１の直下に設置されるので、排ガスラインのコンダクタンスに優れ、清掃が容易な真空配管トラップシステム及び配管清掃方法が提供される。
【００５５】
さらに、真空配管３が、例えばステンレスやアルミなどの不燃性材料から形成されているので、粉塵爆発の可能性が低く極めて安全な真空配管トラップシステム及び配管清掃方法が提供される。
【００５６】
なお、上記いずれの実施形態においても、清掃作業のために取り外す部材の総重量はおよそ３０ｋｇとなるため、運搬には高さ調整機構付きの台車を使用することが好ましい。また、クランプ５０を構成する環状体５１のように切離部を有し下筐体２２や筒部４１に着脱自在の環状体を利用し、把持部を取り付けることが好ましい。更に、清掃作業の回数を増やすことが可能な場合には、捕集部１２の寸法を小さいものとし、軽量化を図ってもよい。更にまた、真空配管３を、真空炉１の出口から真空配管トラップシステム９，１０，７９，８０に至る全経路で保温してもよく、この場合、酸化珪素が真空配管トラップシステム９，１０，７９，８０以外の部位で凝集することを防止することができる。
【００５７】
図８は、真空配管トラップシステム８０の一変形例であって、捕集部３２０を容易に着脱できるようにした例の構成を示す一部破断正面図の一例である。図８に示す下筐体１４０は、上方筒部４１と下方筒部１４２と、有底筒部１５２とを含み、上方筒部４１と下方筒部１４２との各開口の縁、下方筒部１４２と有底筒部１５２の各開口の縁にはそれぞれフランジが設けられている。下方筒部１４２と有底筒部１５２との密着面には、センターリング１４３とシールリング１４４が介挿されている。そのため、上筐体２１と上方筒部４１と下方筒部１４２とを連結させたままで、有底筒部１５２を下方筒部１４２から取り外すことができる。従って、捕集筒１２９を上筐体２１と一体のまま外すことができる。有底筒部１５２は、本実施形態において掃除トレーとして機能する。
【００５８】
本変形例によれば、着脱を容易にすることで、掃除作業の負荷軽減が図れるばかりでなく、水洗時の水分除去が早く、操業時間の短縮に繋がる利点がある。
【００５９】
以上、本発明の実施形態のいくつかについて説明したが、本発明は上記形態に限るものでは決してなく、当業者であれば、本発明の範囲及び趣旨から逸脱しない範囲で、種々の変更を加えて本発明を実現できる。
【００６０】
例えば、上述した実施形態の真空配管トラップシステムでは、第１及び第２実施形態のいずれの配管清掃方法をも実現できるように、フィルタとして回転フィルタ７０を備える場合を取り上げたが、これに限るものではない。例えば第１実施形態の真空配管トラップシステムでは、取り外しさえ容易なものであれば、例えば支持台６４に回転不能に支持された円筒６６に、その周面から各径方向に延在する複数の短冊状のブレードフィルタＢＦを配設したフィルタを使用してもよい。同様に、第２実施形態の真空配管トラップシステム７９，８０においても、例えば複数の液体給入口および液体排出口を上筐体２１及び下筐体２２底部のそれぞれに、それぞれが重力加速度の方向で対をなすように対応付けて配設すれば、回転しないフィルタを用いても膜状に付着した二酸化珪素（ＳｉＯ２）の除去・回収が可能である。
【００６１】
当業者は、特許請求の範囲に規定された本願発明の技術的範囲を逸脱することなく本発明の趣旨に沿って様々な変更、同等な置換、又は改良などを行うことができる。
【符号の説明】
【００６２】
１真空炉
２真空ポンプ
３真空配管
４機台（土台）
５架台
９，１０，７９，８０真空配管トラップシステム
１１加熱部
１２捕集部
１３ベローズ管
１４ヒータ
１５バタフライバルブ
２０捕集筐体
２１上筐体
２２下筐体
２３，４３センターリング
２４レデューサ
２６，２８液体排出口
２７液体給入口
２９，１２９捕集筒
３２排気口
４１筒部
４２有底筒部
５０クランプ
５１環状体
５２接続用挿通棒
５３切離部
５４棒材
５５筒材
６５フィルタ天蓋
５９，１０９真空配管トラップ装置
７０回転フィルタ
１５２掃除トレー（有底筒部）
ＢＦブレードフィルタ
【図１】
2020054949.tif 000003
【図２】
2020054949.tif 000004
【図３】
2020054949.tif 000005
【図４】
2020054949.tif 000006
【図５】
2020054949.tif 000007
【図６】
2020054949.tif 000008
【図７】
2020054949.tif 000009
【図８】
2020054949.tif 000010
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
単結晶成長装置の真空炉と真空ポンプとの間に真空配管を介して接続され、単結晶成長により発生する粉塵を捕集して回収する真空配管トラップ装置であって、
連結部により互いに分離可能に連結される上筐体及び下筐体と、
前記下筐体に収納される有底の捕集筒と、
前記捕集筒内に収納されるフィルタと、を備え、
前記上筐体には、前記真空炉からの気体を取り込むことができる吸気口が設けられ、
前記下筐体には、前記捕集筒から気体を排出するための排気口が設けられ、
前記上筐体及び下筐体には、液体の給入口および排出口が設けられ、
前記フィルタは、前記捕集筒の底部で前記吸気口の下方に枢設された回転軸に軸支され、前記回転軸と同心円状に配設された円筒の周面から該円筒の各径方向に延在するようにそれぞれ配設された短冊状の複数の不燃性ブレードフィルタを有することを特徴とする真空配管トラップ装置。
【請求項２】
前記真空炉の直下に配置されることを特徴とする請求項１に記載の真空配管トラップ装置。
【請求項３】
前記連結部は、対向するフランジで構成され、１点で切り離された環状体の内周面に前記フランジの縁に接する溝部が設けられ、前記環状体の切離部において対向する前記環状体の端部の一方に固定した棒材の自由端側を、前記環状体の他方の端部に設けた挿通部に通し、前記棒材の自由端に嵌められた筒材を前記棒材の軸線方向に進退させ、前記環状体の切離部の間隔を変えることにより前記環状体の径を調整するクランプにより、手動で接離自在とされていることを特徴とする請求項１または２に記載の真空配管トラップ装置。
【請求項４】
前記連結部は、第１連結部と第２連結部とを含み、
該真空配管トラップ装置は、前記第1連結部により前記上筐体に分離可能に連結される上方筒部をさらに備え、
前記下筐体は、前記第２連結部により前記上方筒部に分離可能に連結される下方筒部を含む、
ことを特徴とする請求項１乃至３のいずれか一項に記載の真空配管トラップ装置。
【請求項５】
前記連結部は、第３連結部をさらに含み、
前記下筐体は、前記第３連結部により前記下方筒部に分離可能に連結される有底筒部をさらに含む、
ことを特徴とする請求項４に記載の真空配管トラップ装置。
【請求項６】
前記真空炉からの排気を加熱して該真空配管トラップ装置へ通す加熱部との連結部にバタフライバルブが介装されていることを特徴とする請求項１乃至５のいずれか一項に記載の真空配管トラップ装置。
【請求項７】
前記給入口は、前記上筐体に設けられ、
前記排出口は、前記上筐体または下筐体の底部に設けられる、ことを特徴とする請求項１乃至６のいずれか一項に記載の真空配管トラップ装置。
【請求項８】
請求項１乃至７のいずれか一項に記載の真空配管トラップ装置を、単結晶成長装置の真空炉から真空ポンプへ延びる真空配管に取り付け、前記真空配管の清掃を行う前に、前記給入口から洗浄水を注入して前記捕集筒内に付着した酸化珪素（ＳｉＯ）を前記真空配管および前記真空配管トラップ装置内で水洗し、前記吸気口から前記排気口へ熱風を流して前記真空配管及び捕集筒を乾燥させた後に前記真空配管の開放作業を行なうことを特徴とする配管清掃方法。
【請求項９】
連結部により互いに分離可能に連結される上筐体及び下筐体と、前記下筐体に収納される有底の捕集筒と、前記捕集筒内に収納されるフィルタと、を備え、前記上筐体には、気体を取り込むことができる吸気口が設けられ、前記下筐体には、前記捕集筒から気体を排出するための排気口が設けられ、前記上筐体及び下筐体には、液体の給入口および排出口が設けられ、前記フィルタは、前記捕集筒の底部で前記吸気口の下方に枢設された回転軸に軸支され、前記回転軸と同心円状に配設された円筒の周面から該円筒の各径方向に延在するようにそれぞれ配設された短冊状の複数の不燃性ブレードフィルタを有し、単結晶成長により単結晶成長装置の真空炉内で発生して前記吸気口から取り込まれる粉塵を捕集して回収する真空配管トラップ装置の配管清掃方法であって、
前記真空配管トラップ装置を、単結晶成長装置の真空炉から真空ポンプへ延びる不燃性の真空配管に取り付け、前記真空配管の清掃を行う前に、内部部品の燃焼温度を下回る温度のガスを前記吸気口から前記排気口へ流すことにより前記捕集筒内の酸化珪素（ＳｉＯ）を酸化して二酸化珪素（ＳｉＯ２）とし、前記給入口から高圧水を注入して前記捕集筒内の二酸化珪素（ＳｉＯ２）を前記排出口から排出することを特徴とする配管清掃方法。
【請求項１０】
請求項１乃至７のいずれか一項に記載の真空配管トラップ装置と、
該真空配管トラップ装置と前記真空炉とを接続する配管と、を備え、
前記配管は、一端が前記真空炉に接続される第１配管と、対応する複数の婉曲部を介して前記第１配管の他端と前記真空配管トラップ装置とを接続する複数の第２配管と、を含むことを特徴とする真空配管トラップシステム。